(57)【要約】【課題】電気掃除機において、接続管の挿入口における集塵袋の気密性を維持するとともに、塵埃が挿入口から外部に洩れることを防止することが課題であった。【解決手段】通気性を有して一部に開口部５を設けた袋状部３と、この袋状部３の開口部８に挿入口を一致させて接着した支持枠７と、この支持枠７の挿入口８を中央部１１で閉鎖するようにして外周部１２が支持枠７に接着され、中央部１１に位置してほぼ円形をした一対の貫通孔１５を設け、この貫通孔１５の間を切り結ぶスリット１６を形成した伸縮可能なシール部材１０とを備えた電気掃除機１の集塵袋２である。【選択図】図１
2008168021.tif 000002
【特許請求の範囲】
【請求項１】
通気性を有して一部に開口部を設けた袋状部と、この袋状部の前記開口部に挿入口を一致させて接着した支持枠と、この支持枠の前記挿入口を中央部で閉鎖するようにして外周部が前記支持枠に接着され、前記中央部に位置してほぼ円形をした一対の貫通孔を設け、この貫通孔の間を切り結ぶスリットを形成した伸縮可能なシール部材とを備えたことを特徴とする電気掃除機の集塵袋。
【請求項２】
通気性を有して一部に開口部を設けた袋状部と、この袋状部の前記開口部に挿入口を一致させて接着した支持枠と、この支持枠の前記挿入口を中央部で閉鎖するように外周部が前記支持枠に接着され、前記中央部に位置して両端にほぼ円形の貫通孔を有する第１スリットを設けた伸縮可能な第１シール部材と、この第１シール部材の前記第１スリットにほぼ直交するように両端部に円形の貫通孔を有する第２スリットが重合し、外周部を前記支持枠に直接または間接に接着した伸縮可能な第２シール部材とを設けたことを特徴とする電気掃除機の集塵袋。
【請求項３】
前記スリットの両端に有する前記貫通孔の最端部間の間隔は、前記支持枠の挿入口に挿入される接続管の外径よりも小さいことを特徴とする請求項１または請求項２記載の電気掃除機の集塵袋。
【発明の詳細な説明】
【技術分野】
【０００１】
本発明は、電気掃除機で使用され、塵埃が混在して吸引された空気をろ過して塵埃を収容する電気掃除機の集塵袋に関する。
【背景技術】
【０００２】
従来の電気掃除機の集塵袋は、例えば特許文献１に示されるように、集塵室に収容された通気性を有する集塵室用袋体の開口部周囲には、中央部に集塵孔が設けられた厚紙の支持板が接着されている。この支持板の表面には２本のガスケットを介し、掃除機ホース等の挿入部が円形に開口されたシール弁が接着されている。
【０００３】
このシール弁は、ゴムシートなどの素材により柔軟性を有し、外径が支持板の集塵孔より大きく、内径が掃除機ホース基端部の外径よりも十分に小さいドーナツ板状に形成されている。これにより、清掃作業の開始時に電気掃除機に取付けられたこの集塵用袋体に有するシール弁の挿入部に掃除機ホースの基端部を挿入すると、シール弁がホース基端部の外周部をシールする。
【０００４】
この特許文献１には、上記したホース挿入部とは異なる他の実施例として、支持板の集塵孔と等しい外径で放射状にスリットを多数形成し、これらのスリットをホース基端部の挿入部とするシール弁を設けた集塵袋がある。（特許文献１参照）
【０００５】
また、従来の他の電気掃除機の集塵袋として、例えば技術文献２に示されるように、電気掃除機の集塵袋となる粉塵袋の開口部に設けた支持板である固定エリアに、直交する２つの切込みスリットを有する気密膜を設けて、この挿入部となるスリットにより、挿入されたホース基端部の気密性を確保する構造が示されている。（特許文献２参照）
【０００６】
上記特許文献１の電気掃除機の集塵袋において、前者の場合は、シール弁から吸込ホースの基端部を引き抜いた際、および集塵袋を掃除機本体から取出して塵埃とともに廃棄する際に、円形のホース挿入部から塵埃が空気とともに放出されることや、外部に落下することが多く非衛生であった。後者の場合は、吸込ホースがシール弁に挿入された状態ではリング状のガスケットが無いと気密性の保持が困難であり、またシール弁から吸込ホースを引抜いた状態では、スリットが放射状に多数あるためにその復元力が弱く、挿入部から塵埃が放出されることや落下することがあった。
【０００７】
上記特許文献２の電気掃除機の集塵袋においては、気密膜に設けた直交する切込スリットからなる挿入部に吸込ホースの挿入を繰返すことにより、切込スリットの切込みが外方に長くなって拡大し気密性の保持が困難となることや、また吸込ホースを挿入部から引き抜いた状態では、切込スリットが開いたままとなって塵埃が外部に放出または落下することがあるため、開閉蓋である閉鎖フラップが必要となった。
【特許文献１】実公平６−２５２４９号公報（第３頁、図１、図４）
【特許文献２】特表平９−５０５７５０号公報（第８頁、図１）
【発明の開示】
【発明が解決しようとする課題】
【０００８】
従来のこれらの電気掃除機は、吸込ホース端部の接続管を挿入した集塵袋の開口部において気密が維持できなかったり、接続管を引き抜いた状態では、集塵袋に収容された塵埃が挿入口から外部に洩れることがあった。
【０００９】
本発明は、上記事情によりなされたものであって、接続管の挿入部における気密を維持するとともに、塵埃が外部に洩れることの無い電気掃除機の集塵袋を提供することを目的とする。
【課題を解決するための手段】
【００１０】
本発明は、通気性を有して一部に開口部を設けた袋状部と、この袋状部の前記開口部に挿入口を一致させて接着した支持枠と、この支持枠の前記挿入口を中央部で閉鎖するようにして外周部が前記支持枠に接着され、前記中央部に位置してほぼ円形をした一対の貫通孔を設け、この貫通孔の間を切り結ぶスリットを形成した伸縮可能なシール部材とを備えた電気掃除機の集塵袋としたことを特徴とする。
【発明の効果】
【００１１】
本発明は、接続管の挿入口における気密性を維持するとともに、塵埃が開口部から外部に洩れることが無い電気掃除機の集塵袋を提供することができる。
【発明を実施するための最良の形態】
【００１２】
以下、本発明による電気掃除機の集塵袋における実施態様について、図１から図８を参照して説明する。
【実施例１】
【００１３】
図１は、この発明の１つの実施形態に係る電気掃除機１の集塵袋２を示し、この集塵袋２は、図４に示したように電気掃除機１の内部に着脱可能に取付けられる。図１に示した電気掃除機１に取付ける前の集塵袋２は、通気性を有する紙素材を３層構造にした中空の袋状部３が設けられ、使用前の保管スペースを少なくするために、袋状部３の中空部４が圧接されて４個所で折りたたまれている。この袋状部３の中央部には円形の開口部５が設けられ、中空部４に連続している。
【００１４】
また、袋状部３の開口部５に位置して、集塵袋２を電気掃除機１に取付けるための支持枠７が設けられている。袋状部３を省略した図２、図３に示したように、この支持枠７は、硬質の厚紙を４角形に切断したもので、その中心には、袋状部３の開口部５に重合するようにほぼ等しい直径を有する円形の挿入口８が設けられている。支持枠７は、４角形の角部を切り取って鋭角部分をなくしてある。なお、この支持枠７は、プラスティック素材により代替することができる。
【００１５】
さらに、この支持枠７の挿入口８と袋状部３の開口部５との間には、天然ゴムを素材として伸縮度が著しい皮膜状となった円形のシール部材１０が設けられている。すなわち、このシール部材１０は、中央部１１の一方面により袋状部３の開口部５を閉鎖するとともに、他方面により支持枠７の挿入口８を閉鎖するように覆い、その外周部１２の両面を、開口部５および挿入口８のそれぞれ周縁部１３に接着剤により接着されている。これらの接着順序は、最初に支持枠７にシール部材１０を接着し、次に支持枠７およびシール部材１０を袋状部３に接着することにより行われる。
【００１６】
また、図２に示すシール部材１０の中央部１１には、それぞれが所定の間隔で水平方向に離間するとともに小円形をした一対の貫通孔１５、およびこれらの貫通孔１５の間を切り結んだ水平方向のスリット１６が設けられている。シール部材１０における貫通孔１５の配置は、支持枠７の円形をした挿入口８における半径の２分の１の位置にそれぞれ対称的となって設けられている。従って、これらの貫通孔１５の離間距離は、挿入口８の半径とほぼ等しいこととなる。また、これらの貫通孔１５の直径は、挿入口８の直径のそれぞれ１０分の１程度となっている。
【００１７】
次に、図４により、集塵袋２が電気掃除機１に取付けられた状態について説明する。電気掃除機１には、掃除機本体２０の前方下部中央に、回動軸２１を中心にして左右方向に支持アームが回動自在な１個の前輪２２、後方下部の両側に大きな外径を有する一対の後輪２３がそれぞれ移動用に取付けられている。この掃除機本体２０の後部に位置して電動送風機２５が内蔵され、この電動送風機２５は、塵埃が混在した空気を床面等から吸引することが可能な吸引力を備えている。
【００１８】
電動送風機２５の前方には、第２フィルタ装置２６を支持する仕切板２７によって仕切られた集塵袋収容室３０が設けられている。この集塵袋収容室３０には、断面がコの字状の溝部を開口した図示しない一対のガイドレールが、その溝部の開口を互いに対向させて上下方向に平行して設けられている。集塵袋２の支持枠７は、これらのガイドレールの両側の溝部に上方から挿脱可能に挿入され、バネで付勢された回動するストッパー３１により下方および掃除機本体２０の先端側に押圧され保持されている。
【００１９】
また、掃除機本体２０の先端には、連結口３３を有する連結管３４が設けられ、図示しない吸込ホースの一端にある接続管３５が挿脱可能に挿入されている。このとき接続管３５の先端は、集塵袋収容室３０の内部に突出し、さらに集塵袋２の支持枠７に有する挿入口８から袋状部３の中空部４に差込まれている。接続管３５の外径は、図２に示したように、接続管３５の挿入前における一対の貫通孔１５の最端部間の間隔Ａよりも大きくなっている。
【００２０】
袋状部３を省略した図５により、接続管３５が支持枠７の挿入口８を通過させて袋状部３の内部に差込まれている状態を説明する。吸込ホースの接続管３５を連結管３４の連結口３３に挿入して押込むと、支持枠７の挿入口８に達する。さらに押込むと接続管３５の先端は、挿入口８を閉鎖しているシール部材１０の一対の貫通孔１５とスリット１６を押し拡げて、袋状部３の内部に突出する。
【００２１】
このときシール部材１０のスリット１６と貫通孔１５との付近が拡張することによって接続管３５の外周面に張り付き著しく緊張した状態になるため、接続管３５の外周は気密状態に維持されている。なお、１７は、接続管３５の挿入により、シール部材１０の一部が湾曲してできた襞を示したものである。
【００２２】
この際、シート部材１０のスリット１６と貫通孔１５とが拡張するが、スリット１６の両端部にある貫通孔１５が円形であるために、貫通孔１５を形成している円弧が直線方向に延ばされるとともに、張力を分散させることによって亀裂を生じさせることなく接続管３５の外周に沿って圧接した状態で拡張させることができる。
【００２３】
このような状態で電動送風機２５を駆動して清掃作業を開始すると、床面から吸込口体により吸引された塵埃は、吸込ホースを通過して接続管３５から集塵袋２の袋状部３に流入する。そして、通気性のある袋状部３によりろ過されて塵埃は中空部４に収容され、袋状部３を通過した空気は、電動送風機２５を通過して掃除機本体２０から外部に放出される。
【００２４】
また、清掃作業の終了後は電動送風機の駆動を停止して、吸込ホースとともに接続管３５を掃除機本体２０の連結口３３から引き抜くことにより、貫通孔１５とスリット１６との周囲が縮小して、図１〜図３に示したようなシール部材１０が殆ど元の状態に復元し、挿入口８を閉鎖状態とする。このため、接続管３５が引き抜かれた状態であっても、集塵袋２の袋状部３に収容されている塵埃が挿入口８から外部に放出されたり、落下することを防止できる。
【実施例２】
【００２５】
次に、袋状部３を省略した図６〜図８により、本発明の集塵袋２における他の実施例につき説明する。この実施例において、上記実施例１と同一の部分は、同一の符号により示す。この支持枠７には、上記の実施例と同様に水平方向に配置された一対の貫通孔１５と、これらの貫通孔１５の間を切り結んだスリット１６を有する円形の第１シール部材１０が接着されている。さらにこの支持枠７には、第１シール部材１０と全く同一の形状の貫通孔４０とスリット４２とを有する第２シール部材４３が、第１シール部材１０の貫通孔１５とスリット１６とを９０度の角度で変位させて重合している。
【００２６】
そして、この第２シール部材４３の外周部４５は、第１シール部材１０の外周部１２に重合して接着剤により接着されている。これにより第２シール部材４３は、第１シール部材１０を介して支持枠７に間接的に接着されていることになる。そしてスリット１６とスリット４２とは、十文字状に交わった状態となっている。このような支持枠７を、袋状部３の開口部５に接着剤によって接着することにより集塵袋２を完成することができる。
【００２７】
この場合、第２シール部材４３の外周部４５は、第１シール部材１０の外周部１２に接着したが、外周部４５の外径を大きくして、支持枠７のみに直接接着したり、支持枠７と第１シール部材１０の外周部１２との両方に接着して気密性能を高めることができる。
【００２８】
図８により、このような第１シール部材１０と第２シール部材４３とが重合して接着させた支持枠７の挿入口８に、吸込ホースの接続管３５が挿入された状態を説明する。第１シール部材１０に有する一対の貫通孔１５は、接続管３５が挿入口８に挿入された際に大きく拡張することにより、この貫通孔１５の周囲は、他の部分に比較して支持枠７から側方に突出し接続管３５に接触している面積が少ない。従って、ここの部分の気密性が損なわれる可能性がある。
【００２９】
そこで、この貫通孔１５の周囲の気密性に余裕を持たせるために、第２シール部材４３を設けたものである。すなわち、第２シール部材４３を第1シール部材１０に対して９０度の角度で変位させて支持枠７に接着したことにより、第１シール部材１０の貫通孔１５があることにより接続管３５に対して密着面積が少ない部分に、第２シール部材４３の貫通孔４０が無く密着面積が広い部分を位置させることになり、第１シール部材１０と第２シール部材４３とが接続管３５の外周面で重なり合って、全周の気密性を一層高めることができる。
【００３０】
上記いずれの実施例においても、シール部材は平板状のものであったが、これに限ることなく、例えばシール部材の外周部には支持枠に接着する鍔状の周縁部を有し、中央部は一対の貫通孔とスリットとを有するＵ字形状とすることができる。
【００３１】
また、上記実施例は、支持枠の同一面にシール部材の外周部と袋状部に有する開口部の周縁部とを接着し、これらの接着側と反対側である方向から接続管を挿入するようにしたが、これとは異なり、シール部材の外周部と袋状部に有する開口部の周縁部とをそれぞれ支持枠の反対面となるように接着し、シール部材の外周部を接着した面の方向から反対側に接着した袋状部の内部に向って接続管を挿入する構造とすることができる。
【００３２】
上記実施例の２枚のシール部材を有するものにおいては、支持枠の表裏面のうち１方面に第１シール部材を接着し、他方面に第２シート部材を接着して、これらのシール部材を支持枠の厚さ分離間して重合させることもできる。この場合、それぞれのシール部材に設けた２つのスリットは、離間して十文字状に交わった状態となる。
【００３３】
さらに、それぞれ両端部に小円形の貫通孔を有するスリットが中央部にそれぞれ設けられた３枚のシール部材を、３本のスリットがそれぞれ６０度の角度に変位されるように重ねて、外周部をそれぞれ支持枠に接着することもできる。これにより、接続管とシール部材との気密性や塵埃の落下防止をさらに向上することができる。
【００３４】
シール部材に設けた貫通孔の形状は、真円に限らず楕円や瓢箪型などの歪曲円であっても良い。すなわち、スリットの拡張により容易に亀裂が生じ難い曲線により貫通孔が形成されれば良いものである。
【００３５】
以上説明したように、本発明は上記実施の形態に限定されるものではなく、その趣旨を逸脱しない範囲で変形することが可能である。
【図面の簡単な説明】
【００３６】
【図１】本発明による電気掃除機の集塵袋の斜視図である。（実施例１）
【図２】図１に示す集塵袋の支持枠とシール部材との正面図である。
【図３】図２に示す支持枠とシール部材との側方断面図である。
【図４】図１に示す集塵袋を電気掃除機に取付けた状態における一部断面図である。
【図５】図２に示す支持枠とシール部材とに接続管を挿入した状態を表す斜視図である。
【図６】本発明による他の電気掃除機の集塵袋の支持枠とシール部材との正面図である。（実施例２）
【図７】図６に示す支持枠とシール部材との側方断面図である。
【図８】図６に示す支持枠とシール部材とに接続管を挿入した状態を表す斜視図である。
【符号の説明】
【００３７】
１    電気掃除機
２    集塵袋
３    袋状部
５    開口部
７    支持枠
８    挿入口
１０  シール部材
１１  中央部
１２  外周部
１５  貫通孔
１６  スリット
３５  接続管
【図１】
2008168021.tif 000003
【図２】
2008168021.tif 000004
【図３】
2008168021.tif 000005
【図４】
2008168021.tif 000006
【図５】
2008168021.tif 000007
【図６】
2008168021.tif 000008
【図７】
2008168021.tif 000009
【図８】
2008168021.tif 000010